(57)【特許請求の範囲】
【請求項１】
被写体像を撮像する撮像手段と、
前記撮像手段で撮像された被写体像を少なくとも動画として表示可能であり当該被写体のフレーミングが行える表示画面を有するモニタと、
を有し、
前記モニタには前記撮像手段で当該時点において撮像されている被写体像をフレーミングを行える動画として前記表示画面のほぼ全面に表示する一方、撮影者によってそれぞれ任意のタイミングでなされたシャッタの露光動作に対応した過去の撮像手段の出力を時系列の複数の静止画として前記表示画面のうちの一部に前記動画と重畳させて表示し、かつ、前記シャッタの露光動作が当該時点以降において新規に行われる毎に、前記複数の静止画は時系列順に最新の画像を含む画像群に置き換えられ、最も順番の古い静止画のみが表示画面上から消去されると共に表示される各静止画の位置はその時系列順にシフトして並べ替えられる、
ことを特徴とするカメラ。
【発明の詳細な説明】
【０００１】
【産業上の利用分野】
本発明は、被写体像を確認する電子ビューファインダを有するカメラに関する。
【０００２】
【従来の技術】
従来、例えばカメラなどの撮像装置で撮影を行う際に、先に撮影した構図との整合をとる為に、前駒の画面を次の撮影時に確認することが嘱望されている。
そして、例えば特開平６４−４９０３１号公報では、複数枚の写真と繋ぎ合わせて１枚の写真を作る場合に、電子ビューファインダに前駒の画面の一部を表示し、次に撮影する画面と整合させて撮影することを可能とした技術が開示されている。
【０００３】
【発明が解決しようとする課題】
しかしながら、上記特開平６４−４９０３１号公報により開示された技術では、前駒の画面の一部しか表示されない為、当該前駒の画面が、全体としてどのようなものであったかを判断することはできないといった問題があった。
【０００４】
本発明は上記問題に鑑みてなされたもので、その目的とするところは、前に撮影した全画面の様子を、次の撮影時に撮影者が所望とする表示方式により選択的に表示して確認することを可能とすることにある。
【０００５】
【課題を解決するための手段】
上記目的を達成するために、本発明の一態様に係るカメラは、被写体像を撮像する撮像手段と、前記撮像手段で撮像された被写体像を少なくとも動画として表示可能であり当該被写体のフレーミングが行える表示画面を有するモニタと、を有し、前記モニタには前記撮像手段で当該時点において撮像されている被写体像をフレーミングを行える動画として前記表示画面のほぼ全面に表示する一方、撮影者によってそれぞれ任意のタイミングでなされたシャッタの露光動作に対応した過去の撮像手段の出力を時系列の複数の静止画として前記表示画面のうちの一部に前記動画と重畳させて表示し、かつ、前記シャッタの露光動作が当該時点以降において新規に行われる毎に、前記複数の静止画は時系列順に最新の画像を含む画像群に置き換えられ、最も順番の古い静止画のみが表示画面上から消去されると共に表示される各静止画の位置はその時系列順にシフトして並べ替えられることを特徴とする。
【０００８】
【作用】
即ち、本発明の一態様に係るカメラでは、モニタには前記撮像手段で当該時点において撮像されている被写体像がフレーミングを行える動画として前記表示画面のほぼ全面に表示される一方、撮影者によってそれぞれ任意のタイミングでなされたシャッタの露光動作に対応した過去の撮像手段の出力が時系列の複数の静止画として前記表示画面のうちの一部に前記動画と重畳されて表示され、かつ、前記シャッタの露光動作が当該時点以降において新規に行われる毎に、前記複数の静止画は時系列順に最新の画像を含む画像群に置き換えられて、最も順番の古い静止画のみが表示画面上から消去されると共に表示される各静止画の位置はその時系列順にシフトして並べ替えられる。
【００１１】
【実施例】
以下、図面を参照して本発明の実施例について説明する。
先ず図１には第１実施例に係るカメラのブロック構成図を示し説明する。
図１に示されるように、入射する被写体光の光路上には凹凸のレンズからなるズームレンズ１，２、及びフィルム５に対して適正露光を与える為の絞り３、ハーフミラー６がそれぞれ配置されており、該ハーフミラー６で反射された光の光路上には全光束を反射させるミラー７が配置されている。尚、上記絞り３はズームレンズ１，２の間に配設されている。
【００１２】
そして、上記ミラー７により反射された光の光路上には、２次元の撮像素子９と、被写体像を該撮像素子９上に結像させる為のレンズ８とがそれぞれ配置されている。尚、上記撮像素子９の撮像エリアの大きさは上記結像レンズ８の挿入によってフィルム５の画面サイズより小さくなっている。
【００１３】
符号８´は結像点近傍に配置されたフィールドレンズである。これは被写体像が結像レンズ８にけられることのないよう光束を結像レンズ８に向けて集めるためのものである。
【００１４】
一方、上記ハーフミラー６を透過した光の光路上には、シャッタ４を介してフィルム５が配置されている。このように、被写体からの光束の略半分はハーフミラー６を透過してフィルム５に導かれ、残りの半分は反射される。
【００１５】
上記撮像素子９には、その出力信号を記憶する為又はモニタ表示及びＡＦ，ＡＥ演算する為に信号を加工する信号処理部１０が接続されている。そして、該信号処理部１０には、該信号処理部１０からのデジタル化された画像信号を記憶する画像メモリ１１と、該信号処理部１０の出力を動画若しくは静止画として表示する為のＬＣＤモニタ１２と、該信号処理部１０の出力を基に撮像素子９上の合焦状態を算出するＡＦ演算部１３とが接続されている。
【００１６】
さらに、上記ＡＦ演算部１３には、その出力に基づいて第１群レンズ１を繰出し、若しくは絞り込んでフィルム７面上及び撮像素子９上のピントを合わせるＡＦ制御部１４が接続されている。
【００１７】
そして、上記ズームレンズ１，２には、撮影レンズの焦点距離を変えるべく該レンズ１，２を駆動制御するズーム制御部１５が接続されており、上記絞り３には絞り制御部１７が接続されている。そして、上記シャッタ４にはシャッタ制御部１８が接続されており、上記フィルム５にはフィルム給送を制御するフィルム巻上部１９が接続されている。
【００１８】
さらに、上記絞り制御部１７及びシャッタ制御部１８には、上記信号処理部１０の出力に基づいてフィルム７にどれだけ露光を与えるべきか、また絞り値とシャッタスピードの組み合わせを決定するＡＥ演算部１６が接続されている。そして、このＡＥ演算部１６の出力に基づいて、絞り制御部１７，シャッタ制御部１８は、それぞれ絞り３とシャッタ４を制御する。
【００１９】
そして、システム全体を制御する制御部２３には、撮影レンズの焦点距離を変化させる為の操作部のズーム入力部２０と、撮影動作に入る為にレリーズ釦の半押し状態の１ｓｔレリーズ信号と押し切った状態の２ｎｄレリーズ信号を発生させる操作部のレリーズ入力部２１と、ＬＣＤモニタ１２に被写体の動画像と撮影時の静止画像をいかに表示させるか選択する為のモニタ選択部２２とが電気的に接続されている。
【００２０】
さらに、この制御部２３は、上記各部の他、信号処理部１０や画像メモリ１１、ＡＦ制御部１４、ズーム制御部１５、ＡＥ演算部１６、巻上部１９にもそれぞれ接続されており、該制御部２３は各部を制御する。
【００２１】
ここで、図２にはフィルム５と撮像素子９とに被写体像が光学系を介して結像される状態を示し説明する。尚、この図２では、上記ズームレンズ１，２をまとめて１つの凸レンズで示している。
【００２２】
この図２において、フィルム５面上の被写体の像倍率は被写体距離ｌ0 とレンズ主点からフィルムまでの距離ｌ1 の比でβ1 ＝ｌ1 ／ｌ0 で示される。そして、ハーフミラー６で反射された光束によりフィルム面と共約な位置には空中像が形成される。さらに、撮像素子９上には撮像素子用のレンズ８によって空中像が更に縮小して結像される。その比率は空中像の共約な虚像からレンズ８の主点までの距離ｌ2 と主点から撮像素子までの距離ｌ3 との比率ｌ3 ／ｌ2 となる。
【００２３】
また、フィルム画面サイズに比べて撮像素子の画面サイズの比率はｌ3 ／ｌ2 倍となり、フィルム画面より小さな撮像素子９を用いる撮像素子９上の像倍率β2 は次式で示される。
【００２４】
【数１】
0003670308.tif 000002
【００２５】
以下、図３のフローチャートを参照して、第１の実施例に係るカメラの撮影済画面表示が「ＯＦＦ」時のシーケンスを説明する。
カメラの電源がＯＮされるとＬＣＤモニタ１２もＯＮする。そして、被写体からの光束はズームレンズ１，２を介して入射し、ハーフミラー６で反射された後、ミラー７で反射され、レンズ８により撮像素子９上に結像される。この撮像素子９は各画素毎のアナログ出力を転送して信号処理部１０に伝達する。この信号処理部１０は、該出力信号をＬＣＤモニタ１２を用いて表示する。こうして、ＬＣＤモニタ１２上には被写体像が動画として表示される。尚、ここでいう動画とは、ビデオカメラに於けるモニタのように被写体の動きがそのまま表示される様をいう（ステップＳ１）。
【００２６】
次に使用者がレリーズ釦を半押しして、１ｓｔレリーズ信号が出力されると、撮像素子９の出力の内、画面中央付近のみの出力を信号処理部１０がＡ／Ｄ変換してＡＦ演算部１３に伝達する（ステップＳ２）。
続いて、ＡＦ演算部１３では隣り合う画素の差の絶対値を加算する。これを式で示すと次式のようになる。
【００２７】
【数２】
0003670308.tif 000003
【００２８】
ここで、ΔＶは所謂コントラスト信号と呼ばれるもので、ΔＶの値が最も大きくなるところが合焦ポイントである。このＡＦ演算部１３の出力ΔＶに基づいてＡＦ制御部１４にその値が最も大きくなるように合焦レンズ１を駆動する。以上の動作は合焦ポイントを見付けるまで継続される（ステップＳ３〜Ｓ５）。
【００２９】
そして、合焦動作が終了すると（ステップＳ５）、制御部２３はＬＣＤモニタ１２内に合焦表示を出して使用者に知らしめると共にＬＣＤモニタ１２上でも被写体像が鮮明になる為、使用者は確認することができる（ステップＳ６）。
【００３０】
続いて、制御部２３はＡＦ演算部１３は撮像素子出力の画面中央付近のみのＡ／Ｄ値を基にしてフィルム５に必要な露光量を求める。一般的に、被写体輝度の対数圧縮値をＢＶ、フィルム感度のアペックス値をＳＶ、絞り値をＡＶ、シャッタ秒時をＴＶとすると、フィルム５に必要な適正露光量ＥＶは、
ＥＶ＝ＢＶ＋ＳＶ＝ＡＶ＋ＴＶ
と示される。尚、絞り値ＡＶとシャッタ秒時ＴＶは所定の計算により決定される（ステップＳ７）。続いて、レリーズ釦が完全に押されると、２ｎｄレリーズ信号が出力され（ステッププＳ８）、上記演算値に基づいて絞り制御部１７をシャッタ制御部１８が適正露光をフィルムに与える。そして、シャッタ４が閉じると巻上部１９がフィルム５を一駒分だけ巻き上げ（ステップＳ９〜Ｓ１１）、こうして全てのシーケンスを終了する。
【００３１】
以上説明したシーケンスより明らかなように、撮影画面表示ＯＦＦモードに於いてはＬＣＤモニタ１２は常に被写体像を動画として表示している。
次に図４のフローチャートを参照して、第１の実施例におけるモニタ選択部２２において、撮影した画面を次のレリーズ動作まで表示するモードを選択した場合のシーケンスを説明する。
【００３２】
電源をＯＮしてＬＣＤモニタ１２が被写体を動画として表示するまでのシーケンスは、前述のＯＦＦモード時のシーケンス（ステップＳ１〜１０）と同様である為、ここでは説明を省略する（ステップＳ２１〜Ｓ３０）。
【００３３】
ステップＳ３１以降の処理では、シャッタの露光動作時にフィルム５に露光させるのと同タイミングで撮像素子９の出力を信号処理部１０が各画素毎にＡ／Ｄ変換し、該ディジタル信号を画像メモリ１１に記憶させる（ステップＳ３１）。
【００３４】
そして、それまで表示していた被写体の動画の表示を消して（ＬＣＤモニタ１２をＯＦＦ）、画像メモリ１１に記憶したデジタル信号を信号処理部１０に出力し、該信号処理分１０にてＤ／Ａ変換してアナログ信号として出力して、ＬＣＤモニタ１２に伝達する（ステップＳ３２，３３）。
【００３５】
従って、ＬＣＤモニタ１２上にはフィルム５に露光したタイミングの被写体像が静止画として随時表示される。この静止画の表示を見ることで、使用者は構図の善し悪しや、被写体の表情等をその場で確認することができる（ステップＳ３４〜３６）。
【００３６】
そして、レリーズ釦を半押しすることで、１ｓｔレリーズ信号が出力されると、ＬＣＤモニタ１２上に表示していた静止画が消され（ステップＳ３７）、被写体の今の状況が動画として表示される（ステップＳ３８）。尚、上記静止画の情報は画像メモリ１１には記憶されているので、後に駒番号を入力することで簡単に再度確認することができる。
【００３７】
次に図５のフローチャートを参照して、第１の実施例におけるモニタ選択部２２により、所定時間又は次のレリーズまでの間、撮影画面を表示するモードが選択された場合のシーケンスを説明する。このモードが選択された場合には、シャッタ動作後、所定時間（例えば５秒間）の間、撮影した被写体像を静止画として確認することができる。そして、所定時間経過後、この静止画の表示は自動的に動画の表示に戻る。但し、所定時間内であってもレリーズ釦の半押しにより１ｓｔレリーズ信号が出力されると、該動作により動画の表示に戻るようになっている（ステップＳ５４〜Ｓ６１）。その他のシーケンス（ステップＳ４１〜Ｓ５３）については、上記図３のステップＳ２１〜Ｓ３３に示すシーケンスと同様であるので、ここでは説明を省略する。
【００３８】
次に図６は本発明の第２実施例に係るカメラの構成を示す図である。
図６において、信号合成部２４はＬＣＤモニタ１２に複数の画面を同時に表示する為に複数の画像信号を合成するものである。そして、カメラに対して着脱自在な録画部２５は磁気テープを使って被写体の動画を記録する所謂ビデオムービー部である。さらに、巻上モード入力部２６はフィルム給送のシングル／コンティニュアスの切換を行うものである。その他の構成は、先に説明した第１の実施例に係るカメラと同様である為、ここでは説明を省略し、以下の説明では、同一構成要素については同一符号を用いて説明することにする。
【００３９】
以下、図７のフローチャートを参照して、第２の実施例によるサブモニタ表示のシーケンスを説明する。
このシーケンスでは、シャッタが動作するまでは、先に示した図４の上記ステップＳ２１〜Ｓ３０のシーケンスと同様に動画表示を行っている（ステップＳ７１〜８０）。そして、シャッタ４が動作して被写体像に係る画像を画像メモリ１１に記憶すると、図８に示すように、ＬＣＤモニタ１２上の左下に静止画を小さく表示する（ステップＳ８２〜Ｓ８６）。従って、撮影者は前駒の画面をサブモニタ表示により随時確認することができる。
【００４０】
次に、図１０のフローチャートを参照して、第２の実施例によりサブモニタ表示がタイマのカウントアップ又は次の１ｓｔレリーズ信号が出力されるまで表示するシーケンスを説明する。
【００４１】
このシーケンスでは、シャッタが動作するまでは、先に示した図４の上記ステップＳ２１〜Ｓ３０のシーケンスと同様に動画表示を行っている（ステップＳ１１１〜１２０）。そして、シャッタ４が動作して被写体像に係る画像を画像メモリ１１に記憶すると、先に図８に示したように、ＬＣＤモニタ１２上の左下に静止画を小さく表示する。そして、タイマカウントアップ或いは１ｓｔレリーズ信号の出力により、当該サブモニタ画面表示をＯＦＦし（ステップＳ１２８〜Ｓ１３０）、上記ステップＳ１１３移行の処理を再び繰り返す。
【００４２】
次に、図１１のフローチャートを参照して、サブモニタ画面表示に３画面有する方式を採用した場合のシーケンスについて説明する。本シーケンスでは、図９に示すように静止画を３駒分表示する。
【００４３】
即ち、このシーケンスでは、シャッタが動作するまでは、先に示した図４の上記ステップＳ２１〜Ｓ３０のシーケンスと同様に動画表示を行っている（ステップＳ１３１〜１４０）。
【００４４】
そして、シャッタ４が動作して被写体像に係る画像を画像メモリ１１に記憶すると、サブモニタ画面１の表示をＯＦＦし、当該サブモニタ画面１にサブモニタ画面２に表示していたものを表示し、当該サブモニタ画面２にサブモニタ画面３に表示していたものを表示し、当該サブモニタ画面３に新たに画像メモリ１１に記憶した画像を表示する（ステップＳ１４２〜１４５）。そして、合焦表示をＯＦＦした後、フィルム給送を行った後、全ての動作を終了する（ステップＳ１４７，Ｓ１４８）。
【００４５】
このように、本シーケンスでは、シャッタ動作する毎に一番古い駒から順次シフトして消えていくので随時最新の画像をサブモニタ画面に表示して確認することができる。尚、このモード選択時のシーケンスは、フィルム給送コンティニュアスに連動して切換られるようにしてもよい。
【００４６】
ここで前述した各シーケンス処理に基づく表示内容の変化について説明する。
図１２は１ｓｔ，２ｎｄレリーズ信号の出力に同期して撮影画面表示やサブモニタ表示、サブモニタ表示１，２，３を変更／表示する各モードを比較するためのタイムチャートであり、図中、被写体Ａ乃至Ｅが変化した時のモニタ表示の内容の変化を示している。尚、その横軸は時間軸を示している。
【００４７】
先ず、次のレリーズまで撮影画面の表示を行うモードが選択されている場合には、次の１ｓｔレリーズ信号が出力されると、そのＯＮに同期してそのときの被写体に係る画面表示に切り替わる。
【００４８】
そして、サブモニタ表示を行うモードが選択されている場合には、先ず最初の撮影の際には前駒の画像情報が記録されていないので、そのときの被写体Ａに係る画像のみを表示しサブモニタ表示は行われない。その後、２ｎｄレリーズ信号の出力に同期して、そのときの被写体Ａに係る画像をサブモニタ表示する。このサブモニタ表示は被写体がＡからＢに変更されても、被写体がＢに変更された後に、２ｎｄレリーズ信号が出力されるまでは変更されることは無く、次の２ｎｄレリーズ信号の出力に同期して初めて被写体Ｂに係るサブモニタ表示に変更される。尚、被写体がＡからＢ，ＢからＣへと変更されると、メインモニタの表示はその被写体に係るものに随時変更される。
【００４９】
さらに、サブモニタ表示１，２，３を行うモードが選択されている場合には、被写体がＡからＢ，Ｃへと変化するのに伴って、前駒の画像を例えば３個まで新しいものから順に、左からサブモニタ表示する。いま、被写体Ｄの撮影を行っている場合を考える。この場合、画像メモリ１１には被写体Ａ乃至Ｃに係る情報が記録されている。この被写体Ｄの撮影時に２ｎｄレリーズ信号が出力されるまでは、サブモニタ表示１，２，３には、それぞれ被写体Ａ乃至Ｃの画面が表示されることになる。そして、この被写体Ｄの撮影時に２ｎｄレリーズ信号が出力されると、そのＯＮに同期して、最も古い被写体Ａに係る画像が消され、被写体Ｂ，Ｃに係る画像がそれぞれ左に１つシフトしてサブモニタ１，２に表示され、被写体Ｄに係る画像が一番左側のサブモニタ３に表示されるのである。
【００５０】
最後に、図１３のフローチャートを参照して、第２の実施例に係るカメラに着脱可能な録画部２５を接続した場合の当該カメラのシーケンスを説明する。
尚、録画部２５はビデオムービーカメラの撮影光学系と撮像素子がないもので、これを該カメラに接続すると、銀塩フィルムによる記録と同時にビデオテープに動画を記録することが可能となる。
【００５１】
本シーケンスにて、先ずカメラの電源をＯＮさせると、ＬＣＤモニタ１２がＯＮして被写体の動画がモニタされる（ステップＳ１５０）。ここで、動画記録用の不図示のＲＥＣ釦をＯＮすると（ステップＳ１５１）、ビデオテープが回って録画が開始される（ステップＳ１５２）。
【００５２】
そして，ＡＦ演算を行い、該情報に基づいてＡＦレンズを駆動制御し、ＡＦが終了していない場合、合焦表示をＯＦＦし、この動作を繰り返す（ステップＳ１５３〜Ｓ１５６）。そして、ＡＦが終了すると（ステップＳ１５５）、続いて、ＡＥ演算を行う（ステップＳ１５７）。
【００５３】
さらに、被写体を動画で録画する中でフィルムにも残したい構図になったところで、レリーズ釦を完全に押し込むと２ｎｄレリーズ信号が出力され、シャッタが動作して露光がなされる（ステップＳ１５８〜１６０）。その時、画像メモリ１１は、その時の被写体像を記憶する（ステップＳ１６１）。ここでは、この記憶信号と信号処理部１０から出力される信号とが信号合成部２４にて合成されＬＣＤモニタ１２に表示される。
【００５４】
そして、前駒のサブモニタ画面表示をＯＦＦし、サブモニタ画面にその時の画面を表示する（ステップＳ１６２，Ｓ１６３）。そして、タイマ設定値を設定し、タイマカウントを開始した後（ステップＳ１６６，Ｓ１６７）、フィルム５を給送する（ステップＳ１６７）。
【００５５】
ここで、ＲＥＣ釦がＯＮされていない場合には（ステップＳ１６８）、録画を終了し（ステップＳ１６９）、ＲＥＣ釦がＯＮされている場合には（ステップＳ１６８）、サブモニタ画面の静止画は，所定時間若しくは次の２ｎｄレリーズ信号の出力までの間だけ表示される（ステップＳ１７０〜１７２）。
【００５６】
そして、再びＲＥＣ釦のＯＮ／ＯＦＦを判定し（ステップＳ１７３）、当該ＲＥＣ釦がＯＦＦされている場合には録画を終了し、上記ステップＳ１５３以降の処理に移る（ステップＳ１７３，１７４）。
【００５７】
以上詳述したように、本発明のカメラでは、先に撮影した画面を撮影者がその場で任意の表示方法の中から選択的に表示して確認することができる。
尚、上記実施態様によれば、以下のような構成が得られる。
（１）被写体像をフィルムの結像面に結像させる撮影光学系と上記フィルム面上の結像と略同じ像を撮像する撮像素子を有する電子ビューファインダとを有するカメラにおいて、
上記電子ビューファインダ内に映っている像と略同じ像を上記フィルムに露光するのと略同じタイミングで、上記撮像素子からの情報を記憶する露光情報記憶手段と、
上記露光情報が記憶された後、上記電子ビューファインダ内の複数のサブモニタに、上記情報記憶手段に記憶されている情報を新しい方から複数個選択して時系列的に静止画表示する表示手段と、
上記電子ビューファインダ内に映っている像と略同じ像を上記フィルムに露光する毎に、上記複数のサブモニタに表示する露光情報を最新の露光情報に更新する更新手段と、
を具備したことを特徴とするカメラ。
（２）上記更新手段は、上記サブモニタに表示されている静止画像の内の最も古い静止画像を消去し、最新の露光情報を含めて時系列的に静止画表示することを特徴とする上記（１）に記載のカメラ。
【００５８】
【発明の効果】
本発明によれば、前に撮影した画像を、次の撮影時に撮影者が確認することを可能としたカメラを提供することができる。
【図面の簡単な説明】
【図１】第１実施例に係るカメラのブロック構成図である。
【図２】第１の実施例において、フィルム５と撮像素子９とに被写体像が光学系を介して結像される状態を示す図である。
【図３】第１の実施例に係るカメラの撮影済画面表示が「ＯＦＦ」時のシーケンスを示すフローチャートである。
【図４】第１の実施例のカメラのモニタ選択部２２において、撮影した画面を次のレリーズ動作まで表示するモードを選択した場合のシーケンスを示すローチャートである。
【図５】第１の実施例において、所定時間又は次のレリーズまでの間、撮影画面を表示するモードが選択された場合のシーケンスを示すフローチャートである。
【図６】第２実施例に係るカメラの構成を示す図である。
【図７】第２の実施例によるサブモニタ表示のシーケンスを示すフローチャートである。
【図８】第２の実施例において、ＬＣＤモニタ１２上の左下のサブモニタに静止画を小さく表示した様子を示す図である。
【図９】第２の実施例において、静止画を３駒分表示したサブモニタ表示１，２，３の様子を示す図である。
【図１０】第２の実施例によりサブモニタ表示がタイマのカウントアップ又は次の１ｓｔレリーズ信号の出力まで表示するシーケンスを示すフローチャートである。
【図１１】第２の実施例によるサブモニタ画面表示に３画面有する方式を採用した場合のシーケンスについて示すフローチャートである。
【図１２】第２の実施例による、次のレリーズまで撮影画面表示のモードとサブモニタ表示モード、サブモニタ１〜３表示モードの比較を示すタイムチャートである。
【図１３】第２の実施例に係るカメラに着脱可能な録画部２５を接続した場合の当該カメラのシーケンスを示すフローチャートである。
【符号の説明】
１…凸レンズ、２…凹レンズ、３…絞り、４…シャッタ、５…フィルム、６…ハーフミラー、７…ミラー、８…、９…撮像素子、１０…信号処理部、１１…画像メモリ、１２…ＬＣＤモニタ、１３…ＡＦ演算部、１４…ＡＦ制御部、１５…ズーム制御部、１６…ＡＥ演算部、１７…絞り制御部、１８…シャッタ制御部、１９…巻上部、２０…ズーム入力部、２１…レリーズ入力部、２２…モニタ選択部、２３…制御部。
【図１】
0003670308.tif 000004
【図２】
0003670308.tif 000005
【図３】
0003670308.tif 000006
【図４】
0003670308.tif 000007
【図５】
0003670308.tif 000008
【図６】
0003670308.tif 000009
【図７】
0003670308.tif 000010
【図８】
0003670308.tif 000011
【図９】
0003670308.tif 000012
【図１０】
0003670308.tif 000013
【図１１】
0003670308.tif 000014
【図１２】
0003670308.tif 000015
【図１３】
0003670308.tif 000016